(57)【特許請求の範囲】
【請求項１】
マグネットアセンブリ側に組み込まれたボディコイルと、
前記マグネットアセンブリ側に組み込まれていないサーフェイスコイルと、
前記サーフェイスコイルから送信されるＲＦパルスが前記ボディコイルで受信されるのを抑制するために前記ボディコイルと前記サーフェイスコイルの間に設けられたＲＦシールドとを具備し、
前記ＲＦシールドが、前記マグネットアセンブリおよび前記サーフェイスコイルとは別体であることを特徴とするＭＲＩ装置。
【請求項２】
マグネットアセンブリ側に組み込まれたボディコイルと、
前記マグネットアセンブリ側に組み込まれていないサーフェイスコイルと、
前記サーフェイスコイルから送信されるＲＦパルスが前記ボディコイルで受信されるのを抑制するために前記ボディコイルと前記サーフェイスコイルの間に設けられたＲＦシールドとを具備し、
前記ＲＦシールドが、前記ボディコイルと前記サーフェイスコイルとの間に挿入／離脱可能に、前記マグネットアセンブリ側に組み込まれていることを特徴とするＭＲＩ装置。
【発明の詳細な説明】
【技術分野】
【０００１】
本発明は、ＲＦシールド方法、ＭＲＩ（Magnetic Resonance Imaging）装置および送受信サーフェイスコイルに関し、更に詳しくは、サーフェイスコイルとマグネットアセンブリ側に組み込まれたボディコイルのアイソレーションのためのコストを低減できるＲＦシールド方法、ＭＲＩ装置および送受信サーフェイスコイルに関する。
【背景技術】
【０００２】
従来、マグネットアセンブリ側に組み込まれたボディコイルと傾斜磁場コイルの間にＲＦシールドを設ける技術が知られている（例えば、特許文献１，２参照。）。
【特許文献１】特開２０００−１１６６１９号公報
【特許文献２】特開２００４−２４８９２８号公報
【発明の開示】
【発明が解決しようとする課題】
【０００３】
従来、マグネットアセンブリ側に組み込まれたボディコイルから送信されるＲＦパルスに対する傾斜磁場コイルのアイソレーションはＲＦシールドにより行われていたが、サーフェイスコイルから送信されるＲＦパルスに対する、マグネットアセンブリ側に組み込まれたボディコイルのアイソレーションは、バイアス電源によりダイオードの導通／遮断状態を切り替えてボディコイルをオン／オフするスイッチをボディコイル側に設けることにより行っていた。
しかし、バイアス電源が大電流あるいは大電圧仕様となり、ノイズ伝播の防止のために高性能のフィルタが必要とされるなど、装置が大規模になると共にコスト高になる問題点があった。また、ボディコイル側に設けるスイッチでは、大電流用のダイオードなど高耐圧，高耐電流の部品が必要になり、やはりコスト高になる問題点があった。
そこで、本発明の目的は、サーフェイスコイルとマグネットアセンブリ側に組み込まれたボディコイルのアイソレーションのためのコストを低減できるＲＦシールド方法、ＭＲＩ装置および送受信サーフェイスコイルを提供することにある。
【課題を解決するための手段】
【０００４】
第１の観点では、本発明は、ＭＲＩ装置のマグネットアセンブリ側に組み込まれたボディコイルと前記マグネットアセンブリ側に組み込まれていないサーフェイスコイルとの間にＲＦシールドを設け、前記サーフェイスコイルから送信されるＲＦパルスが前記ボディコイルで受信されるのを抑制することを特徴とするＲＦシールド方法を提供する。
上記第１の観点によるＲＦシールド方法では、サーフェイスコイルから送信されたＲＦパルスがボディコイルで受信されるのを両者の間に設けたＲＦシールドにより抑制するため、ボディコイルにおける誘導電圧が大幅に低下する。このため、ボディコイル側に設けるスイッチでは、大電流用のダイオードなど高耐圧，高耐電流の部品が不必要になり、コストを低減できる。また、大電流あるいは大電圧仕様のバイアス電源が不要となり、高性能のフィルタも不必要となるなど、装置を簡略化できると共にコストを低減できる。また、結果的に、信頼性も向上する。
【０００５】
第２の観点では、本発明は、マグネットアセンブリ側に組み込まれたボディコイルと、前記マグネットアセンブリ側に組み込まれていないサーフェイスコイルと、前記サーフェイスコイルから送信されるＲＦパルスが前記ボディコイルで受信されるのを抑制するために前記ボディコイルと前記サーフェイスコイルの間に設けられたＲＦシールドとを具備することを特徴とするＭＲＩ装置を提供する。
上記第２の観点によるＭＲＩ装置では、サーフェイスコイルから送信されたＲＦパルスがボディコイルで受信されるのを両者の間に設けたＲＦシールドにより抑制するため、ボディコイルにおける誘導電圧が大幅に低下する。このため、ボディコイル側に設けるスイッチでは、大電流用のダイオードなど高耐圧，高耐電流の部品が不必要になり、コストを低減できる。また、大電流あるいは大電圧仕様のバイアス電源が不要となり、高性能のフィルタも不必要となるなど、装置を簡略化できると共にコストを低減できる。また、結果的に、信頼性も向上する。
【０００６】
第３の観点では、本発明は、上記第２の観点によるＭＲＩ装置において、前記ＲＦシールドが、前記サーフェイスコイルと一体であることを特徴とするＭＲＩ装置を提供する。
上記第３の観点によるＭＲＩ装置では、ＲＦシールドをサーフェイスコイルに一体化したため、取り扱いが便利になる。
【０００７】
第４の観点では、本発明は、上記第２の観点によるＭＲＩ装置において、前記ＲＦシールドが、前記マグネットアセンブリおよび前記サーフェイスコイルとは別体であることを特徴とするＭＲＩ装置を提供する。
上記第４の観点によるＭＲＩ装置では、ＲＦシールドを外すことにより、マグネットアセンブリ側に組み込まれたボディコイルを送信コイルとし、サーフェイスコイルを受信コイルとして使用することが可能になる。
【０００８】
第５の観点では、本発明は、上記第２の観点によるＭＲＩ装置において、前記ＲＦシールドが、前記ボディコイルと前記サーフェイスコイルとの間に挿入／離脱可能に、前記マグネットアセンブリ側に組み込まれていることを特徴とするＭＲＩ装置を提供する。
上記第５の観点によるＭＲＩ装置では、ＲＦシールドをマグネットアセンブリ側に組み込んでいるため、取り扱いが便利になる。そして、ＲＦシールドを離脱することにより、マグネットアセンブリ側に組み込まれたボディコイルを送信コイルとして使用できる。
【０００９】
第６の観点では、本発明は、被検体の近傍に置いて使用され且つ送受信機能を有するサーフェイスコイル本体と、前記サーフェイスコイル本体の反被検体側に前記サーフェイスコイル本体と一体化されたＲＦシールドとを具備することを特徴とする送受信サーフェイスコイルを提供する。
上記第６の観点による送受信サーフェイスコイルでは、送受信サーフェイスコイルから送信されたＲＦパルスがボディコイルで受信されるのをＲＦシールドにより抑制するため、ボディコイルにおける誘導電圧が大幅に低下する。このため、ボディコイル側に設けるスイッチでは、大電流用のダイオードなど高耐圧，高耐電流の部品が不必要になり、コストを低減できる。また、大電流あるいは大電圧仕様のバイアス電源が不要となり、高性能のフィルタも不必要となるなど、装置を簡略化できると共にコストを低減できる。また、結果的に、信頼性も向上する。
【００１０】
第７の観点では、本発明は、上記第６の観点による送受信サーフェイスコイルにおいて、前記サーフェイスコイル本体が円筒状であり、前記ＲＦシールドが前記サーフェイスコイル本体の外周を取り巻く円筒状であることを特徴とする送受信サーフェイスコイルを提供する。
上記第７の観点による送受信サーフェイスコイルでは、円筒状のサーフェイスコイル本体から送信されたＲＦパルスがボディコイルで受信されるのを円筒状のＲＦシールドにより好適に抑制することが出来る。
【００１１】
第８の観点では、本発明は、上記第６の観点による送受信サーフェイスコイルにおいて、前記サーフェイスコイル本体が板状であり、前記ＲＦシールドが前記サーフェイスコイル本体の片面側に一体化された板状であることを特徴とする送受信サーフェイスコイルを提供する。
上記第８の観点による送受信サーフェイスコイルでは、板状のサーフェイスコイル本体から送信されたＲＦパルスがボディコイルで受信されるのを板状のＲＦシールドにより好適に抑制することが出来る。
【発明の効果】
【００１２】
本発明のＲＦシールド方法、ＭＲＩ装置および送受信サーフェイスコイルによれば、サーフェイスコイルとマグネットアセンブリ側に組み込まれたボディコイルのアイソレーションのためのコストを低減できる。また、信頼性を向上することが出来る。
【発明を実施するための最良の形態】
【００１３】
以下、図に示す実施例により本発明をさらに詳しく説明する。なお、これにより本発明が限定されるものではない。
【実施例１】
【００１４】
図１は、実施例１に係るＭＲＩ装置１００および送受信サーフェイスコイル１０を示す斜視図である。
このＭＲＩ装置１００において、マグネットアセンブリ１の内部には、内周側から順に、ボディコイル２と、ボディコイル用ＲＦシールド３と、傾斜磁場コイル４とが同心状に設けられている。傾斜磁場コイル４の外側には、主磁場発生マグネット５が設けられている。また、マグネットアセンブリ１には、テーブル装置Ｔのクレードル上に載置された被検体Ｈを挿入し得るボア（円筒状の空間）Ｓが開口している。
【００１５】
被検体Ｈには、円筒状の送受信サーフェイスコイル１０が装着されている。
送受信サーフェイスコイル１０は、円筒状のサーフェイスコイル本体１１と、そのサーフェイスコイル本体１１の外周を取り巻く円筒状のサーフェイスコイル用ＲＦシールド１２とからなっている。
【００１６】
図２に示すように、送受信サーフェイスコイル１０のサーフェイスコイル本体１１とサーフェイスコイル用ＲＦシールド１２とは一体化されている。
【００１７】
実施例１のＭＲＩ装置１００および送受信サーフェイスコイル１０によれば、サーフェイスコイル本体１１から送信されたＲＦパルスがボディコイル２で受信されるのをサーフェイスコイル用ＲＦシールド１２により抑制するため、ボディコイル２における誘導電圧が大幅に低下する。このため、ボディコイル２側に設けるスイッチ（図示省略）では、大電流用のダイオードなど高耐圧，高耐電流の部品が不必要になり、コストを低減できる。また、大電流あるいは大電圧仕様のバイアス電源が不要となり、高性能のフィルタも不必要となるなど、装置を簡略化できると共にコストを低減できる。また、結果的に、信頼性も向上できる。
【実施例２】
【００１８】
図３に示すように、送受信サーフェイスコイル１０のサーフェイスコイル本体１１とサーフェイスコイル用ＲＦシールド１２とを別体にしてもよい。
【００１９】
実施例２の送受信サーフェイスコイル１０によれば、サーフェイスコイル本体１１の外周にサーフェイスコイル用ＲＦシールド１２を被せることで、サーフェイスコイル本体１１から送信されたＲＦパルスがボディコイル２で受信されるのを抑制できる。他方、サーフェイスコイル本体１１の外周からサーフェイスコイル用ＲＦシールド１２を外すことで、ボディコイル２を送信コイルとして使用できる。
【実施例３】
【００２０】
図４に示すように、板状の送受信サーフェイスコイル１０を用いてもよい。
この送受信サーフェイスコイル１０は、板状のサーフェイスコイル本体１１と、そのサーフェイスコイル本体１１の反被検体側に設けた板状のサーフェイスコイル用ＲＦシールド１２とからなっている。
【００２１】
図５に示すように、送受信サーフェイスコイル１０のサーフェイスコイル本体１１とサーフェイスコイル用ＲＦシールド１２とは一体化されている。
【実施例４】
【００２２】
図６に示すように、送受信サーフェイスコイル１０のサーフェイスコイル本体１１とサーフェイスコイル用ＲＦシールド１２とを別体にしてもよい。
【実施例５】
【００２３】
図７は、実施例５に係るＭＲＩ装置２００を示す斜視図である。
このＭＲＩ装置２００において、マグネットアセンブリ１の内部には、内周側から順に、サーフェイスコイル用ＲＦシールド２２と、ボディコイル２と、ボディコイル用ＲＦシールド３と、傾斜磁場コイル４とが同心状に設けられている。傾斜磁場コイル４の外側には、主磁場発生マグネット５が設けられている。また、マグネットアセンブリ１には、テーブル装置Ｔのクレードル上に載置された被検体Ｈを挿入し得るボア（円筒状の空間）Ｓが開口している。
被検体Ｈには、円筒状のサーフェイスコイル２１が装着されている。
【００２４】
実施例５のＭＲＩ装置２００によれば、サーフェイスコイル２１から送信されたＲＦパルスがボディコイル２で受信されるのをサーフェイスコイル用ＲＦシールド２２により抑制するため、ボディコイル２における誘導電圧が大幅に低下する。このため、ボディコイル２側に設けるスイッチ（図示省略）では、大電流用のダイオードなど高耐圧，高耐電流の部品が不必要になり、コストを低減できる。また、大電流あるいは大電圧仕様のバイアス電源が不要となり、高性能のフィルタも不必要となるなど、装置を簡略化できると共にコストを低減できる。また、結果的に、信頼性も向上できる。
【００２５】
図８に示すように、サーフェイスコイル用ＲＦシールド２２は、手動または自動的にボアＳから引き出すことが出来る。
サーフェイスコイル用ＲＦシールド２２をボアＳから引き出した状態にすると、ボディコイル２を送信コイルとして使用できる。
【産業上の利用可能性】
【００２６】
本発明のＲＦシールド方法、ＭＲＩ装置および送受信サーフェイスコイルは、サーフェイスコイルを用いてＭＲ撮像を行うのに利用できる。
【図面の簡単な説明】
【００２７】
【図１】実施例１にかかるＭＲＩ装置および送受信サーフェイスコイルを示す斜視図である。
【図２】実施例１にかかる送受信サーフェイスコイルを示す斜視図である。
【図３】実施例２にかかる送受信サーフェイスコイルを示す斜視図である。
【図４】実施例３にかかるＭＲＩ装置および送受信サーフェイスコイルを示す斜視図である。
【図５】実施例３にかかる送受信サーフェイスコイルを示す斜視図である。
【図６】実施例４にかかる送受信サーフェイスコイルを示す斜視図である。
【図７】実施例５にかかるＭＲＩ装置（ＲＦシールド挿入時）を示す斜視図である。
【図８】実施例５にかかるＭＲＩ装置（ＲＦシールド離脱時）を示す斜視図である。
【符号の説明】
【００２８】
１                          マグネットアセンブリ
２                          ボディコイル
１０                        送受信サーフェイスコイル
１１                        サーフェイスコイル本体
１２                        サーフェイスコイル用ＲＦシールド
１００，２００              ＭＲＩ装置
Ｈ                          被検体
【図１】
0004664797.tif 000002
【図２】
0004664797.tif 000003
【図３】
0004664797.tif 000004
【図４】
0004664797.tif 000005
【図５】
0004664797.tif 000006
【図６】
0004664797.tif 000007
【図７】
0004664797.tif 000008
【図８】
0004664797.tif 000009